(57)【要約】  本発明は、ユーザインターフェイスとプロセッサを有するモバイル通信端末に関するものである。このモバイル通信端末は、色データを受信し、プロセッサが、この色データから、ユーザインターフェイス用の色の配合を生成する。光生成手段が、色の配合を受信し、この色の配合に従って、着色された光をユーザインターフェイスに供給する。【選択図】図３
2008512017.tif 000002
【特許請求の範囲】
【請求項１】
ユーザインターフェイス及びプロセッサを有し、色データを受信するべく適合されたモバイル通信端末において、
前記プロセッサは、前記色データに基づいて前記ユーザインターフェイス用の色の配合を生成するべく適合されており、
光生成手段が、前記色の配合を受信し、且つ、前記色の配合に従って、着色された光を前記ユーザインターフェイスに供給するべく適合されている、
ことを特徴とするモバイル通信端末。
【請求項２】
前記色データは、色パターン又は写真を有する、請求項１に記載のモバイル通信端末。
【請求項３】
前記光生成手段は、ドライバ及び光源を有する、請求項１に記載のモバイル通信端末。
【請求項４】
前記光源は、１つ又は複数の多色の光ダイオード、多色の光ダイオードの複数のセクション、又はこれらの任意の組み合わせを有する、請求項３に記載のモバイル通信端末。
【請求項５】
前記光源は、液晶要素を有する、請求項３に記載のモバイル通信端末。
【請求項６】
前記光源は、一連の液晶要素を有する、請求項３に記載のモバイル通信端末。
【請求項７】
前記光源は、１つの液晶要素と、一連の液晶要素とを有する、請求項３に記載のモバイル通信端末。
【請求項８】
前記ユーザインターフェイスは、ディスプレイを有する、請求項１に記載のモバイル通信端末。
【請求項９】
前記ユーザインターフェイスは、カバー、光ガイド、及びキーパッドを更に有する、請求項８に記載のモバイル通信端末。
【請求項１０】
前記ドライバは、前記プロセッサから制御信号を受信し、且つ、前記制御信号に基づいて前記ディスプレイ及び前記光源を駆動するべく適合されている、請求項３に記載のモバイル通信端末。
【請求項１１】
前記色の配合を保存するためのテーブルを更に有する、請求項１に記載のモバイル通信端末。
【請求項１２】
前記色データとして利用される写真を生成するべく適合されたカメラを更に有する、請求項１に記載のモバイル通信端末。
【請求項１３】
前記プロセッサは、
（ａ）前記色データを受信し、
（ｂ）前記色データのピクセルの色にインデックス付けし、インデックス付けされた色のアレイを生成し、
（ｃ）グループ化パラメータを選択し、
（ｄ）前記グループ化パラメータに従って前記インデックス付けされた色をグループ化し、
（ｅ）グループ化された色を前記モバイル通信端末の前記ユーザインターフェイスに対して割り当てる、
ことを実行するべく適合されている、請求項１に記載のモバイル通信端末。
【請求項１４】
モバイル通信装置用の色の配合を生成する方法において、
（ａ）色データ生成器から色データを受信し、
（ｂ）前記色データのピクセルの色にインデックス付けし、インデックス付けされた色のアレイを生成し、
（ｃ）グループ化パラメータを選択し、
（ｄ）前記グループ化パラメータに従って前記インデックス付けされた色をグループ化し、
（ｅ）グループ化された色を前記モバイル通信端末のユーザインターフェイスに対して割り当てる、
ことを有することを特徴とする方法。
【請求項１５】
前記ユーザインターフェイスは、ディスプレイを有する、請求項１４に記載の方法。
【請求項１６】
前記ユーザインターフェイスは、カバー、光ガイド、及びキーパッドを更に有する、請求項１５に記載の方法。
【請求項１７】
前記色データは、写真、絵、又はこれらの任意の組み合わせを有する、請求項１４に記載の方法。
【請求項１８】
前記グループ化パラメータは、前記色の配合用の設計基準を確立する１つ又は複数の要素を有する、請求項１４に記載の方法。
【請求項１９】
前記グループ化パラメータは、前記モバイル通信端末のユーザによって選択されるか、前記モバイル通信端末内に保存されている既定値であるか、又はこれらの組み合わせである、請求項１４に記載の方法。
【請求項２０】
色の配合の出力をチェックすること、調節済みのグループ化パラメータをフィードバックすること、を更に有する請求項１４に記載の方法。
【請求項２１】
請求項１〜１３の中のいずれか一項によるモバイル通信端末上において稼動して請求項１４〜２０の中のいずれか一項による方法を実行するべく適合されたコードを有することを特徴とするコンピュータプログラム。
【発明の詳細な説明】
【技術分野】
【０００１】
本発明は、携帯又はセルラー電話機などのモバイル通信端末に関するものであり、更に詳しくは、モバイル通信端末の外観と色の制御に関するものである。
【背景技術】
【０００２】
Ｗｉｎｄｏｗｓ（登録商標）又はＡｐｐｌｅ（登録商標）オペレーティングシステムによって動作するパーソナルコンピュータにおいては、ユーザは、ディスプレイの壁紙を所望の色又はパターンに変更可能であり、写真を壁紙として使用することも可能である。また、最近の携帯電話機は、カメラを具備しており、この結果、携帯電話機によって撮影した写真を携帯電話機上において壁紙として直接使用することも可能である。
【発明の開示】
【発明が解決しようとする課題】
【０００３】
パーソナルコンピュータ及び最近の携帯電話機のいずれにおいても、壁紙は、容易に交換又は変更可能である。しかしながら、携帯電話機の全体的な外観の色の配合やパターンを変更するのは困難であり（色の異なる第２の物理的カバーが必要である）、これには時間を浪費し、高価である。
【課題を解決するための手段】
【０００４】
本発明の目的は、任意の色又はパターンの配合に従って容易に変化する全体的な外観を具備したモバイル通信端末を提供することにある。
【０００５】
本発明の具体的な１つの利点は、ユーザの好みに従って、モバイル通信端末によって制御可能な外観を提供するという点にある。
【０００６】
本発明の具体的な１つの特徴は、モバイル通信端末のユーザが、写真を撮影し、且つ、この写真を利用して所望の色又はパターンの配合を生成することができるカメラの提供と関連している。
【０００７】
前述の目的、利点、及び特徴、並びに、以下の詳細な説明から明らかとなる多数のその他の目的、利点、及び特徴は、本発明の第１の態様に従い、ユーザインターフェイスとプロセッサを有するモバイル通信端末によって得られるものであり、このモバイル通信端末は、色データを受信するべく適合されており、プロセッサは、この色データに基づいてユーザインターフェイス用の色の配合を生成するべく適合されており、光生成手段は、色の配合を受信し、この色の配合に従って、着色された光をユーザインターフェイスに供給するべく適合されている。
【０００８】
本明細書においては、「モバイル通信端末」という用語は、携帯又はセルラー電話機、携帯情報端末、又はラップトップコンピュータであるものとして解釈されたい。「色の配合」という用語は、本明細書においては、デジタル的に保存及び生成可能な色の配合又はカラーシェードプラン（color shade plan）であるものとして解釈されたい。
【０００９】
更には、本明細書においては、「ユーザインターフェイス」という用語は、ディスプレイと、制御情報をユーザに供給すると共にディスプレイ上に表示される１つ又は複数の画像であるものとして、並びに、カバー、光ガイド、及びキーパッドを含むディスプレイであるものとして解釈することができる。
【００１０】
本発明の第１の態様によるモバイル通信端末の利点は、光生成手段により、端末の操作者が、モバイル通信端末の要素のそれぞれの色を制御可能であるという点にある。この結果、モバイル通信端末の提示内容や外観を、例えば、操作者の服装や衣服に適合させることができる。
【００１１】
モバイル通信端末のユーザは、ユーザのシャツの写真を生成し、次いで、この写真を処理することによって端末用の色の配合を生成可能である。この色の配合は、ユーザのシャツに適合するように生成可能である。この色の配合は、色のパターンや写真を有することが可能であり、従って、端末のディスプレイは、端末のその他の要素によって写真に適合した色を提示しつつ、その写真を提示可能である。
【００１２】
本発明の第１の態様による光生成手段は、１つ又は複数の多色の光ダイオードを具備した光源を有することができる。実際に、この光源は、プロセッサによって制御されるように適合された多色の光ダイオードの複数のセクションを具備可能である。或いは、この代わりに（又は、これに加えて）、光源は、プロセッサによって制御されるように適合された１つの液晶要素又は一連の液晶要素を有することも可能である。
【００１３】
本発明の第１の態様によるプロセッサは、（ａ）色データ生成器から色データを受信し、（ｂ）この色データのピクセルの色にインデックス付けし、インデックス付けされた色のアレイを生成し、（ｃ）グループ化パラメータを選択し、（ｄ）このグループ化パラメータに応じて、インデックス付けされた色をグループ化し、及び（ｅ）グループ化された色をモバイル通信端末のユーザインターフェイス、キーパッド、及びカバーに対して割り当てる、ことを実行するべく更に適合可能である。
【００１４】
写真のピクセルの色にインデックス付けすることにより、プロセッサは、写真のすべての色を識別可能であり、インデックス付けされた色をグループ化することにより、プロセッサは、端末のそれぞれの要素（即ち、ディスプレイ、キーパッド、又はカバー）に使用するべき色を判定可能である。ディスプレイが、写真を壁紙として提示可能であり、ディスプレイ上の動作メニューが、色のグループ化に応じた色を有する壁紙上にオーバーレイしているため、これは、特に有利である。
【００１５】
以上の目的、利点、及び特徴、並びに、以下の詳細な説明から明らかになる多数のその他の目的、利点、及び特徴は、本発明の第２の態様に従い、モバイル通信装置用の色の配合を生成する方法によって得られるものであり、この方法は、（ａ）色データ生成器から色データを受信し、（ｂ）この色データのピクセルの色にインデックス付けし、インデックス付けされた色のアレイを生成し、（ｃ）グループ化パラメータを選択し、（ｄ）このグループ化パラメータに従って、インデックス付けされた色をグループ化し、及び（ｅ）グループ化された色をモバイル通信端末のユーザインターフェイス、キーパッド、及びカバーに対して割り当てる、ことを有している。
【００１６】
第２の態様による色データは、写真、絵、又はこれらの任意の組み合わせであってよい。色データは、モバイル通信端末のカメラにより、スナップショットとして撮影可能であり、或いは、通信ネットワークからダウンロードすることも可能である。或いは、この代わりに、色データは、ユーザによって生成又はモバイル通信端末にダウンロードされた芸術作品であってもよい。
【００１７】
本発明の第２の態様によるグループ化パラメータは、色の配合用の設計基準を確立する１つ又は複数の要素を有することができる。グループ化パラメータは、モバイル通信端末のユーザによって選択可能であり、又はモバイル通信端末内に保存されている既定値であってもよく、或いは、これらの組み合わせであってもよい。
【００１８】
本発明の第２の態様による色の配合は、モバイル通信端末のディスプレイ、キーパッド、及びカバーに適用する色とパターンの組み合わせのための全体的なプランを有することができる。この色の配合は、有利であることには、モバイル通信端末の望ましい外観を確立する際に遵守するべき規則の組を確立している。
【００１９】
本発明の第２の態様による方法は、色の配合の出力をチェックすること、調節済みのグループ化パラメータをフィードバックすること、を更に有することができる。この結果、本方法によれば、有利であることは、モバイル通信端末は、利用されている色の配合により、視認可能なユーザインターフェイスが提供されることを継続的に保証可能である。
【００２０】
以上の目的、利点、及び特徴と、以下の詳細な説明から明らかになるその他の目的、利点、及び特徴は、本発明の第３の態様に従い、本発明の第１の態様によるモバイル通信端末上において稼動して本発明の第２の態様による方法を実行するべく適合されたコードを有するコンピュータプログラムによって得られることになる。
【発明を実施するための最良の形態】
【００２１】
以上の、並びに更なる本発明の目的、特徴、及び利点については、添付の図面と、例示を目的とした非限定的な本発明の好適な実施例に関する以下の詳細な説明を参照することにより、その理解を深めることができよう。
【００２２】
様々な実施例に関する以下の説明においては、本発明を実施可能な様々な実施例を一例として示す添付の図面を参照している。本発明の範囲を逸脱することなしに、その他の実施例を利用することも可能であり、且つ、構造的及び機能的な変更を実施することも可能であることを理解されたい。
【００２３】
図１は、全体として参照符号１００が付与されたモバイル通信端末を示している。モバイル通信端末１００は、モバイル通信端末１００のユーザがモバイル通信端末１００とインターフェイスできるにようにするディスプレイ１０２及びキーパッド１０４を有している。モバイル通信端末１００は、写真を撮影するためのカメラ１０６を更に有しており、これらの写真は、ユーザの指示に従ってディスプレイ１０２上に提示可能である。カメラ１０６は、図１には、モバイル通信端末１００の前面上に配置された状態で示されているが、これは、わかりやすくするためのものに過ぎず、カメラ１０６は、モバイル通信端末１００の任意の表面上に適宜配置可能である。具体的には、カメラは、有利であることには、ユーザが、カメラのビュー内において狙っているものをディスプレイ１０２内において同時に観察できるように、モバイル通信端末１００の背面上に配置可能である。
【００２４】
モバイル通信端末１００は、更に、色制御装置１０８を内部に有しており、これにより、ユーザは、モバイル通信端末１００の色と、この結果、その外観を制御可能である。例えば、ユーザは、写真を撮影し、ディスプレイ１０２上において、この写真を壁紙として適用可能であり、更には、色の配合を生成するべく色制御装置１０８に対して指示可能であり、この色の配合が、ディスプレイ１０２内、キーパッド１０４内、並びに、例えば、カバー１１４のエッジ１１２などの選択されたカバーの部分１１０内において実装される。
【００２５】
図２は、このモバイル通信端末１００のブロック構成図を示している。また、図２は、ディスプレイ１０２、キーパッド１０４、及びカバー１１４と通信する色制御装置１０８を詳細に示している。
【００２６】
色制御装置１０８は、例えば、カメラ１０６から受信した又は通信ネットワークからダウンロードされた写真やビデオストリームなどの色データ１１６を受信する。モバイル通信端末１００のユーザは、領域を流し撮りすることによってディスプレイ１０２上にビデオシーケンスを生成するべくカメラ１０６を使用すると共に、カメラの視野を写真としてフリーズさせるべく、任意の時点においてキーパッド１０４上のキーを押すことができる。この結果、モバイル通信端末１００用の色の配合を生成するべく、この写真を使用可能である。
【００２７】
色制御装置１０８は、マイクロプロセッサ又はマイクロコントローラなどのプロセッサ１１８を有しており、このプロセッサは、色データ１１６を受信するべく適合されている。プロセッサ１１８は、色データ１１６内において検出された色のアレイ内において、色データ１１６にインデックス付けする。例えば、色データが、２５６色を具備した写真である場合には、１６×１６のインデックスアレイが生成されることになる。従って、写真及び色データ１１６が、３〜１０２４の範囲内などの任意の数の色を具備可能であることは、明らかである。
【００２８】
「色」という用語は、本明細書においては、任意のグレースケールを含んでいる。即ち、色データ１１６は、グレースケーリングされた写真であってよい。
【００２９】
プロセッサ１１８は、選択された設計基準に従ってインデックスアレイの色をグループ化する。プロセッサ１１８は、グループ化された色を使用することにより、テーブル１２０内に読み込まれる色の配合を生成する。テーブル１２０は、任意の通常のランダムアクセスメモリとして実装可能である。色の配合は、色の許容可能な組み合わせ（即ち、色データ１１６との組み合わせにおいて使用可能な色）を記述している。例えば、写真は、スチールグレー色の建物を表示可能であり、従って、１つの設計基準は、ディスプレイ１０２上において壁紙として使用された際に、この写真を上書きしているメニューにおいて、グレースケールの色の使用を許容するものであってよい。最も視認可能な色の組み合わせを定義する生理学的なパラメータを設計基準に包含可能であることは明らかである。
【００３０】
プロセッサ１１８は、ディスプレイ１０２及び光源１２４の色を制御するべく、制御信号を装置ドライバ１２２に対して転送する。ディスプレイ１０２及び光源１２４は、プロセッサ１１８によって生成された色の配合に従い、装置ドライバ１２２によって駆動されている。
【００３１】
光源１２４は、１つ又は複数の多色の発光ダイオード（ＬＥＤ）及び／又は液晶パネルを有することができる。光源１２４によって生成された光は、キーパッド１０４と、カバー１１４の選択されたカバー部分に伝達される。この光は、図２においては、光ガイド１２６にも伝達されるものとして示されている。キーパッド１０４の下部と、カバー１１４の不透明な部分の下部に、１つ又は複数のＬＥＤを適宜配置可能である。
【００３２】
図３は、プロセッサ１１８によって実行される方法２００のフローチャートを示している。本方法２００は、モバイル通信端末１００内のプロセッサ１１８によって実行されるコンピュータプログラムとして実装可能である。
【００３３】
方法２００は、ステップ２０２において始まっており、このステップにおいて、変数を初期化した、定数が記録している。この結果、プロセッサ１１８は、ステップ２０４において色データ１１６を受信するための準備が完了することになる。ステップ２０６において、前述のように、アレイ内において、色データ１１６にインデックス付けする。グループ化パラメータによって確立された設計基準に従って、アレイの色をグループ化する必要がある。グループ化パラメータは、手作業（ステップ２０８）によるか、又は自動的（ステップ２１０）に選択される。従って、モバイル通信端末１００により、ユーザは、サイケデリックなもの、金属的なもの、又はソフトなトーンなどの様々な設計基準の中から選択可能である。更には、モバイル通信端末１００により、ユーザは、通信ネットワークから設計基準をダウンロードすることも可能である。
【００３４】
モバイル通信端末１００のユーザは、ステップ２１２において、グループ化パラメータを手作業又は自動的のいずれによって選択するかについて、プロセッサに回答する。モバイル通信端末１００により、ユーザは、本方法２００においてユーザの介入が不要となるように、ステップ２１２において付与するべき応答を予め設定しておくことも可能である。
【００３５】
ステップ２１４において、インデックス付けされた色をグループ化パラメータに従って１つにグループ化し、次いで、色の配合を生成する。
【００３６】
ステップ２１８においては、この色の配合内の色をディスプレイ１０２内に提示されるメニュー、カバー１１４の一部、並びに／又はキーパッド１０４に対して割り当てる。
【００３７】
特に、ユーザがディスプレイ１０２内においてメニューを確実に視認できるようにするべく、ステップ２２０において、色の配合の出力（即ち、ディスプレイ１０２内の壁紙にオーバーレイするメニューと、キーパッド１０４及びカバー１１４の色）をチェックする。色の配合の出力に問題がない場合には、本方法２００は、ステップ２２２において終了することになる。一方、色の配合の出力に問題がある場合は、本方法は、ステップ２２４において分岐し、ステップ２２６において、グループ化パラメータが調節され、グループ化ステップ２１４にフィードバックされることになる。
【図面の簡単な説明】
【００３８】
【図１】本発明の第１実施例によるモバイル通信端末を示す図である。
【図２】本発明の第１実施例によるモバイル通信端末のブロックダイアグラムを示す図である。
【図３】本発明の第１実施例によるモバイル通信端末によって利用されるプロセスのフローチャートを示す図である。
【図１】
2008512017.tif 000003
【図２】
2008512017.tif 000004
【図３】
2008512017.tif 000005
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
ユーザインターフェイス及びプロセッサを有し、色データを受信するべく適合されたモバイル通信端末において、
前記プロセッサは、前記色データに基づいて前記ユーザインターフェイス用の色の配合を生成するべく適合されており、
光生成手段が、前記色の配合を受信し、且つ、前記色の配合に従って、着色された光を前記ユーザインターフェイスに供給するべく適合されている、
ことを特徴とするモバイル通信端末。
【請求項２】
前記色データは、色パターン又は写真を有する、請求項１に記載のモバイル通信端末。
【請求項３】
前記光生成手段は、ドライバ及び光源を有する、請求項１に記載のモバイル通信端末。
【請求項４】
前記光源は、１つ又は複数の多色の光ダイオード、多色の光ダイオードの複数のセクション、又はこれらの任意の組み合わせを有する、請求項３に記載のモバイル通信端末。
【請求項５】
前記光源は、液晶要素を有する、請求項３に記載のモバイル通信端末。
【請求項６】
前記光源は、一連の液晶要素を有する、請求項３に記載のモバイル通信端末。
【請求項７】
前記光源は、１つの液晶要素と、一連の液晶要素とを有する、請求項３に記載のモバイル通信端末。
【請求項８】
前記ユーザインターフェイスは、ディスプレイを有する、請求項１に記載のモバイル通信端末。
【請求項９】
前記ユーザインターフェイスは、カバー、光ガイド、及びキーパッドを更に有する、請求項８に記載のモバイル通信端末。
【請求項１０】
前記ドライバは、前記プロセッサから制御信号を受信し、且つ、前記制御信号に基づいて前記ディスプレイ及び前記光源を駆動するべく適合されている、請求項３に記載のモバイル通信端末。
【請求項１１】
前記色の配合を保存するためのテーブルを更に有する、請求項１に記載のモバイル通信端末。
【請求項１２】
前記色データとして利用される写真を生成するべく適合されたカメラを更に有する、請求項１に記載のモバイル通信端末。
【請求項１３】
前記プロセッサは、
（ａ）前記色データを受信し、
（ｂ）前記色データのピクセルの色にインデックス付けし、インデックス付けされた色のアレイを生成し、
（ｃ）グループ化パラメータを選択し、
（ｄ）前記グループ化パラメータに従って前記インデックス付けされた色をグループ化し、
（ｅ）グループ化された色を前記モバイル通信端末の前記ユーザインターフェイスに対して割り当てる、
ことを実行するべく適合されている、請求項１に記載のモバイル通信端末。
【請求項１４】
モバイル通信装置用の色の配合を生成する方法において、
（ａ）色データ生成器から色データを受信し、
（ｂ）前記色データのピクセルの色にインデックス付けし、インデックス付けされた色のアレイを生成し、
（ｃ）グループ化パラメータを選択し、
（ｄ）前記グループ化パラメータに従って前記インデックス付けされた色をグループ化し、
（ｅ）グループ化された色を前記モバイル通信端末のユーザインターフェイスに対して割り当てる、
ことを有することを特徴とする方法。
【請求項１５】
前記ユーザインターフェイスは、ディスプレイを有する、請求項１４に記載の方法。
【請求項１６】
前記ユーザインターフェイスは、カバー、光ガイド、及びキーパッドを更に有する、請求項１５に記載の方法。
【請求項１７】
前記色データは、写真、絵、又はこれらの任意の組み合わせを有する、請求項１４に記載の方法。
【請求項１８】
前記グループ化パラメータは、前記色の配合用の設計基準を確立する１つ又は複数の要素を有する、請求項１４に記載の方法。
【請求項１９】
前記グループ化パラメータは、前記モバイル通信端末のユーザによって選択されるか、前記モバイル通信端末内に保存されている既定値であるか、又はこれらの組み合わせである、請求項１４に記載の方法。
【請求項２０】
色の配合の出力をチェックすること、調節済みのグループ化パラメータをフィードバックすること、を更に有する請求項１４に記載の方法。
【請求項２１】
請求項１〜１３の中のいずれか一項によるモバイル通信端末における前記プロセッサ上において、請求項１４〜２０の中のいずれか一項による方法を実行するべく適合されたことを特徴とするコンピュータプログラム。
【国際調査報告】
2008512017.tif 000006
2008512017.tif 000007
2008512017.tif 000008